(57)【要約】【課題】十分に空気の除湿や除湿剤の乾燥を行えるようにする。【解決手段】除湿剤４を塗布した上下の平板５に挟まれた第一の波板６と、その第一の波板６と直交する方向に設けられた第二の波板７をそれぞれ積層する。そして、第一の波板６に除湿対象となる空気８を通す場合、第二の波板７のいずれか一方の面側に冷たい流体を通し、除湿剤４や空気８を冷却させる。一方、除湿剤４を乾燥させる場合は、第二の波板７の他方の面側に熱い流体を通し、空気流通経路１１における除湿剤４を乾燥させる。そして、一定時間後、このように構成されたデシカントユニット２ａ、２ｂを切替弁９ａ、９ｂを用いて切り替え、空気８の除湿と除湿剤４の乾燥を行えるようにする。【選択図】図１
2012035230.tif 000002
【特許請求の範囲】
【請求項１】
内側に空気流通経路を形成する上下の平板と、当該上下の平板の上側と下側に前記空気流通経路の空気流通方向と直交する方向に流体を通すための波板をそれぞれ積層してなるデシカントユニットであって、
前記空気流通経路内に塗布された除湿剤と、
前記平板の上下に設けられた波板における一方の面側に第一の流体を流通させる第一流入部と、
前記平板の上下に設けられた波板における他方の面側に第二の流体を流入させる第二流入部とを備え、
前記空気流通経路に除湿対象となる気体を流通させる場合、前記第一流入部もしくは第二流入部のいずれか一方から相対的に冷却された流体を通し、
前記空気流通経路内の除湿剤を乾燥させる場合、前記冷却された流体を通す第一流入部もしくは第二流入部とは逆の第二流入部もしくは第一流入部から相対的に加熱された流体を通すようにしたことを特徴とするデシカントユニット。
【請求項２】
空気流通経路内を流通する気体を乾燥させるデシカントユニットにおいて、
一枚の平板を挟んで互いに直交する方向に積層される第一の波板および第二の波板と、
当該第一の波板の表面に塗布される除湿剤と、
当該第一の波板を挟むように設けられた上下の平板を介して上下に積層された第二の波板の一方の面側に第一の流体を通す第一流入部と、
前記第一の波板を挟むように設けられた上下の平板を介して上下に積層された第二の波板の他方の面側に第二の流体を通す第二流入部とを備え、
前記第一の波板に除湿対象となる空気を通す場合、前記第一流入部もしくは第二流入部のいずれか一方から相対的に冷却された流体を通し、
前記第一の波板に塗布された除湿剤を乾燥させる場合は、前記冷却された流通させた第一流入部もしくは第二流入部の反対側の第一流入部もしくは第二流入部から相対的に加熱された流体を通すようにようにしたことを特徴とする除湿ユニット。
【請求項３】
前記第一流入部が、波板における前記平板から延出した箇所に、各層ごとに第一の流体を流入させる穴と第二の流体を通過させるバイパス管とそれぞれ設け、一層ごとに第二の波板の上面と下面に相対的に冷却された第一の流体を通すように構成されるものである請求項２に記載のデシカントユニット。
【請求項４】
前記第二流入部が、波板における前記平板から延出した箇所に、各層ごとに第二の流体を流入させる穴と第一の流体を通過させるバイパス管とそれぞれ設け、一層ごとに第二の波板の上面と下面に相対的に加熱された第二の流体を通すように構成されるものである請求項２に記載のデシカントユニット。
【請求項５】
請求項１または請求項２に記載のデシカントユニットを複数設けてなるデシカント装置であって、
第一のデシカントユニットで空気を除湿している場合、第二のデシカントユニットで除湿剤を乾燥させ、第一のデシカントユニットの除湿剤を乾燥させる場合、第二のデシカントユニットで空気を除湿させるための切替弁を設けたデシカント装置。
【発明の詳細な説明】
【技術分野】
【０００１】
本発明は、空気を除湿するデシカント空調機に関するものであり、より詳しくは、複数の平板を積層することによって形成された隙間に空気を通して除湿を行えるようにしたデシカントユニットおよびそのユニットを用いたデシカント空調機に関するものである。
【背景技術】
【０００２】
近年、ビルや店舗などにおいては、室内の空気を除湿するためのデシカント空調機が用いられており、特許文献などにも多種多様のデシカント空調機が提案されている（特許文献１など）。この一般的なデシカント空調機の基本構造を図６に示す。図６において、符号２１は円盤状のデシカントローターであり、その表面にシリカゲルなどの除湿剤（デシカント）を塗布して、ゆっくりとした速度で回転させるようにしたものである。また、符号２２は、除湿部であり、湿った空気を取り入てデシカントローター２１まで導き、デシカントローター２１で除湿した後、室内側へ乾燥した空気を排出させるようにしたものである。また、符号２３は、湿気を吸着したデシカントローター２１を乾燥させる再生部であり、除湿したデシカントローター２１に熱風を通過させてデシカントローター２１の湿気を取り除き、そこから湿った熱風を外部に排出させるようにしたものである。このようなデシカント空調機を用いれば、デシカントローター２１を回転させるだけで空気の除湿と除湿剤の乾燥を行わせることができ、連続して除湿を行うことができるようになる。
【先行技術文献】
【特許文献】
【０００３】
【特許文献１】特開２００９−１３６７５０号公報
【発明の概要】
【発明が解決しようとする課題】
【０００４】
しかしながら、このようなデシカントローターを用いて除湿を行う場合、次のような問題点を生じる。
【０００５】
すなわち、上述のようなデシカントローターに湿った空気を通過させる場合、デシカントローターの面に垂直に空気を通すようにしているため、デシカントローターと空気の接触時間が短くなって湿気を十分に吸着させることができない。しかも、そのデシカントローターの下側の除湿面で乾燥させた際の余熱がその面内に残っている場合は、回転させた際、その余熱によって十分に湿気を吸着させることができなくなるといった問題もある。さらには、デシカントによる吸着率を上げようとすると、デシカントローターの厚みを厚くする必要があるが、このようにデシカントローターを厚くすると風圧を高くしなければならず、出力の大きな送風機などが必要になるといった問題がある。
【０００６】
そこで、本発明は上記課題に着目してなされたもので、十分に空気の除湿や除湿剤の乾燥を行えるようにしたデシカントユニットおよびそのユニットを用いたデシカント空調機を提供することを目的とする。
【課題を解決するための手段】
【０００７】
すなわち、本発明は上記課題を解決するために、内側に空気流通経路を形成する上下の平板と、当該上下の平板の上側と下側に前記空気流通経路の空気流通方向と直交する方向に流体を通すための波板をそれぞれ積層してなるデシカントユニットであって、前記空気流通経路内に塗布された除湿剤と、前記平板の上下に設けられた波板における一方の面側に第一の流体を流通させる第一流入部と、前記平板の上下に設けられた波板における他方の面側に第二の流体を流入させる第二流入部とを備え、前記空気流通経路に除湿対象となる気体を流通させる場合、前記第一流入部もしくは第二流入部のいずれか一方から相対的に冷却された流体を通し、前記空気流通経路内の除湿剤を乾燥させる場合、前記冷却された流体を通す第一流入部もしくは第二流入部とは逆の第二流入部もしくは第一流入部から相対的に加熱された流体を通すようにしたものである。
【０００８】
このように構成すれば、上下の平板によって形成された隙間に空気を通すため、空気と除湿剤との接触時間を長くすることができ、効率的に除湿を行うことができるようになる。しかも、除湿を行う際、平板の上下に冷たい流体を通して空気や除湿剤を冷却させるため、空気の飽和水蒸気量を小さくしたり除湿剤の発熱を防止してより除湿効果を高めることができる。また逆に、その除湿剤を乾燥させる際は、その平板の上下に熱い流体を通すことによって平板の内側に塗布された除湿剤を乾燥させることができ、再度、その除湿剤を用いて空気を乾燥させることができるようになる。
【０００９】
また、このような発明において、一枚の平板を挟んで互いに直交する方向に積層される第一の波板および第二の波板と、当該第一の波板の表面に塗布される除湿剤と、当該第一の波板を挟むように設けられた上下の平板を介して上下に積層された第二の波板の一方の面側に第一の流体を通す第一流入部と、前記第一の波板を挟むように設けられた上下の平板を介して上下に積層された第二の波板の他方の面側に第二の流体を通す第二流入部とを備え、前記第一の波板に除湿対象となる空気を通す場合、前記第一流入部もしくは第二流入部のいずれか一方から相対的に冷却された流体を通し、前記第一の波板に塗布された除湿剤を乾燥させる場合は、前記冷却された流通させた第一流入部もしくは第二流入部の反対側の第一流入部もしくは第二流入部から相対的に加熱された流体を通すようにする。
【００１０】
このようにすれば、第一の波板の表面に除湿剤を塗布しているので、より空気と除湿剤の接触面積を大きくすることができ、効率的に空気を乾燥させることができるようになる。
【００１１】
さらには、第一流入部を構成する場合、波板における前記平板から延出した箇所に、各層ごとに第一の流体を流入させる穴と第二の流体を通過させるバイパス管とそれぞれ設け、一層ごとに第二の波板の上面と下面に相対的に冷却された第一の流体を通すようにする。
【００１２】
このようにすれば、例えば、空気を除湿する場合、第一流入部に冷却された第一の流体を通すことで、空気流通経路の上下の層に冷たい第一の流体を通すことができるようになり、除湿剤による除湿効果を高めることができる。
【００１３】
また、第二流入部を構成する場合、波板における前記平板から延出した箇所に、各層ごとに第二の流体を流入させる穴と第一の流体を通過させるバイパス管とそれぞれ設け、一層ごとに第二の波板の上面と下面に相対的に加熱された第二の流体を通すようにする。
【００１４】
このようにすれば、例えば、除湿剤を乾燥させる場合、第二流入部から加熱された第二の流体を通すことで、上下から除湿剤を加熱させ、除湿剤を乾燥させることができるようになる。
【００１５】
また、このようなデシカントユニットを複数設け、第一のデシカントユニットで空気を除湿している場合、第二のデシカントユニットで除湿剤を乾燥させ、第一のデシカントユニットの除湿剤を乾燥させる場合、第二のデシカントユニットで空気を除湿させるようにするための切替弁を設けるようにする。
【００１６】
このようにすれば、切替弁を切り替えることによってそれぞれのデシカントユニットで除湿と乾燥を切り替えることができ、しかも、乾燥後の除湿剤に余熱が残っている場合であっても相対的に冷却された流体を通すことで瞬時に除湿剤を冷却させて除湿効果を高めることができるようになる。
【発明の効果】
【００１７】
本発明によれば、内側に空気流通経路を形成する上下の平板と、当該上下の平板の上側と下側に前記空気流通経路の空気流通方向と直交する方向に流体を通すための波板をそれぞれ積層してなるデシカントユニットであって、前記空気流通経路内に塗布された除湿剤と、前記平板の上下に設けられた波板における一方の面側に第一の流体を流通させる第一流入部と、前記平板の上下に設けられた波板における他方の面側に第二の流体を流入させる第二流入部とを備え、前記空気流通経路に除湿対象となる気体を流通させる場合、前記第一流入部もしくは第二流入部のいずれか一方から相対的に冷却された流体を通し、前記空気流通経路内の除湿剤を乾燥させる場合、前記冷却された流体を通す第一流入部もしくは第二流入部とは逆の第二流入部もしくは第一流入部から相対的に加熱された流体を通すようにしたので、空気と除湿剤との接触時間を長くすることができ、効率的に除湿を行うことができるようになる。しかも、除湿を行う場合は、平板の上下に冷たい流体を通して空気や除湿剤を冷却させるため、空気の飽和水蒸気量を小さくしたり除湿剤の発熱を防止してより除湿効果を高めることができる。また逆に、その除湿剤を乾燥させる場合は、その平板の上下に熱い流体を通すことによって平板の内側に塗布された除湿剤を乾燥させることができ、再度、その除湿剤を用いて空気を乾燥させることができるようになる。
【図面の簡単な説明】
【００１８】
【図１】本発明の一実施の形態におけるデシカントユニットの外観を示す図
【図２】同形態における断面の概略を示す図
【図３】同形態における除湿剤を乾燥させる場合の状態を示す図
【図４】同形態における空気を除湿する場合の状態を示す図
【図５】同形態におけるデシカントユニットを複数設けたデシカント空調機を示す図
【図６】従来例におけるデシカント空調機を示す図
【発明を実施するための最良の形態】
【００１９】
以下、本発明の一実施の形態について図面を参照しながら説明する。この実施の形態におけるデシカント空調機１は、図５に示すように２つのデシカントユニット２（２ａ、２ｂ）を備えてなるもので、第一のデシカントユニット２ａで空気８の除湿を行っている間に他方の第二のデシカントユニット２ｂで除湿剤４の乾燥を行い、一定時間ごとに第一のデシカントユニット２ａと第二のデシカントユニット２ｂとを切替弁９ａ、９ｂ、９ｃ、９ｄを介して切り替えられるようにしたものである。
【００２０】
それぞれのデシカントユニット２は、図１に示すように、平板５を挟んでそれぞれ直交する方向に積層された第一の波板６および第二の波板７と、第一の波板６に塗布された除湿剤４（図２〜図４参照）とを備え、空気８を除湿する場合は、図４に示すように、その空気流通経路１１の上下に設けられた第二の波板７におけるいずれか一方の面側に冷却された第一の流体を通して除湿剤４での除湿効果を高め、一方、その除湿剤４に含まれた湿気を取り除く場合は、図５における切替弁９（９ａ〜９ｄ）を切り替えることによって、図３に示すように、第二の波板７の反対の面側に加熱された第二の流体を通し、除湿剤４を乾燥させるようにしている。以下、本実施の形態におけるデシカントユニット２について図１から図４を用いて説明する。
【００２１】
このデシカントユニット２は、平板５を挟んで第一の波板６と第二の波板７を直交する方向に積層しており、上下の平板５と平板５との間に挟まれた第一の波板６に湿った空気８を通す空気流通経路１１を形成している。図１においては、左側から湿った空気８を通し、第一の波板６を通って右側へ乾燥した空気８を通すようにしている。この湿った空気８を空気流通経路１１に通す場合は、図１における破線で示された側壁３で第二の波板７側への空気８が遮断され、また、第一の波板６と第一の波板６との間には、平板５で挟まれた第二の波板７が設けられているため、その第二の波板７の山で空気８が遮断されて、第一の波板６の間にのみ空気８が流れ込むようになっている。この第一の波板６の表面や空気流通経路１１における平板５の表面には除湿剤４が塗布されており、この除湿剤４によって空気流通経路１１を流れる空気８の湿気が吸収されるようになっている。この除湿剤４としては、シリカゲルやゼオライト、酸化チタン、吸水性ポリマー、感温性ポリマーなどのように吸湿効果の高い物質を用いることができ、これらを粉末状もしくは薄膜状にして第一の波板６の表面や平板５の表面に塗布している。これらの平板５や第一の波板６は、比較的熱伝導性の高い金属部材などで構成され、その熱を空気流通経路１１まで伝達させている。第一の波板６は、空気８と除湿剤４との接触面積を大きくする役割と平板５と平板５との隙間を形成する役割を担うようにしたもので、この機能を担うものであれば、どのような素材や形状のものであってもよい。このような第一の波板６としては、例えば、平板５と平板５との隙間を形成するための隙間形成部材（例えば、柱状部材など）を間欠的に設けておき、平板５の内側やその隙間形成部材の表面に除湿剤４を塗布するようにしてもよい。あるいは、連続する矩形波状の波板によって第一の波板６や第二の波板７を構成するようにしてもよい。これらの素材については金属部材だけでなく、合成樹脂などの素材であってもよい。
【００２２】
第二の波板７は、第一の波板６と直交するように平板５に取り付けられるものであって、平板５が存在する箇所に波部を位置させ、その平板５から延出した長手方向（すなわち、第二の波板７の流れ方向）に平坦な延出部７１を設けるようにしている。この延出部７１には、２箇所の穴７２が設けられており、その一方の穴７２の下方にバイパス管７３を設けるとともに、他方の穴７２の上方にバイパス管７３を設け、それぞれのバイパス管７３を上層と下層の延出部７１の穴７２に接続するようにしている。そして、このように構成することによって、その穴７２とバイパス管７３によって、冷たい流体をその第二の波板７の一方の面側に通すための第一流入部を構成するとともに、熱い流体をその第二の波板７の他方の面側に通すための第二流入部を構成し、上下の延出部７１で挟まれた熱付与層１２にそれぞれ冷たい流体と熱い流体を交互に通せるようにしている。また、この第二の波板７の反対側の端部についても同様に、その第二の波板７を通過した冷たい流体や熱い流体を排出させるための穴７２やバイパス管７３が設けられており、その穴７２やバイパス管７３を介してそれぞれの流体をまとめて排出できるようにしている。
【００２３】
この冷たい流体や熱い流体の流入状態について図１から図４を用いて説明すると、最上層の破線で示されたバイパス管７３に熱い流体（Ｈ）を通すと（図３参照）、その熱い流体はバイパス管７３を介して第一層目の熱付与層１２に流れ込み、２枚目の第二の波板７ｂの上面に沿って流れていく。また、その熱い流体は、二枚目の第二の波板７ｂに設けられた穴７２から連続するバイパス管７３を介して第三層目の熱付与層１２に流れ込み、同様に、その三枚目の第二の波板７ｃの下面と四枚目の第二の波板７ｄの上面に沿って流れていく。このように熱い流体を通すと、図３に示すように、空気流通経路１１を通る空気８が、上下の第二の波板７から伝達する熱によって加熱され、除湿剤４の湿気を奪う。そして、この第二の波板７に沿って熱い流体が流れていくと、その隙間を通った熱い流体は、反対側の端部で穴７２やバイパス管７３を介して室外へ排出される。
【００２４】
一方、一枚目の第二の波板７ａに設けられた穴７２に冷たい流体（Ｃ）を通した場合は、図４に示すように、その流体は、その下方のバイパス管７３を介して第一の熱付与層１２をバイパスし、第二層目の熱付与層１２に流れ込む。すると、その第二の熱付与層１２に流れ込んだ流体は、同様にして、２枚目の第二の波板７ｂの下面側と３枚目の第二の波板７ｃの上面側を通過するとともに、３枚目の穴７２から連続するバイパス管７３を介して第四層目の熱付与層１２まで流れ込んで行く。以下、同様にして、偶数番目の熱付与層１２に流れ込んだ冷たい流体は、第二の波板７に沿って流れていき、平板５で挟まれた第一の波板６で流れが遮断されて、空気流通経路１１を挟んで第二の波板７の下面側と上面側および上面側と下面側と交互に流れていく。そして、第二の波板７や平板５の熱伝導によって空気流通経路１１における空気８や除湿剤を冷却させ、反対側の端部で穴７２やバイパス管７３を介して排出させる。
【００２５】
すなわち、冷たい流体と熱い流体をそれぞれのバイパス管７３に通すと、図２に示すように、第二の波板７の上面側と下面側にそれぞれ冷たい流体が通り、第二の波板７の他方面側に熱い流体が流れ込んで、波板や平板５の熱伝導を利用して空気８や除湿剤４を冷却・加熱させる。
【００２６】
このように構成されたデシカントユニット２は、図５に示すように２カ所に設けられ、それぞれ空気８の除湿用と除湿剤４の乾燥用に切り替えられる。この切り替えは一定時間ごとに切替弁９ａ、９ｂを用いて切り替えられ、第一のデシカントユニット２ａが空気８の除湿用として使用されている場合は、第二のデシカントユニット２ｂについては、切替弁９ｂを介して除湿剤４を乾燥させ、また、一定時間後、第一のデシカントユニット２ａの除湿剤４が湿気を含んでいる場合は、切替弁９ａや切替弁９ｂを切り替えて、第一のデシカントユニット２ａを除湿剤４の乾燥用とし、第二のデシカントユニット２ｂを空気８の除湿用として使用する。この空気８の除湿用としてデシカントユニット２ａ、２ｂが使用されている場合は、第二の波板７に冷たい流体のみを通して除湿剤４を有する空気流通経路１１の上下から冷却させ、その空気流通経路１１を通過する空気８の飽和水蒸気量を小さくして除湿剤４でその湿気を吸着させやすくする。また、吸着によって除湿剤４が発熱した場合も、その熱も低下させるようになる。一方、デシカントユニット２ａ、２ｂを除湿剤４の乾燥用として使用する場合は、第二の波板７に熱い流体のみを通過させ、これによって空気流通経路１１の上下から平板５や第一の波板６を加熱させる。そして、このように加熱した状態において、空気流通経路１１に空気８を送り込むことによって除湿剤４に含まれる湿気を外部に排出させる。この湿気を含んだ空気８を外部に排出させる場合は、切替弁９ｃを用いてその空気８を外部に排出させ、また、除湿された空気８を室内に吹き出す場合は、切替弁９ｃを用いて除湿させた空気８を室内側に吹き出させるようにする。
【００２７】
次に、このように構成されたデシカントユニット２の製造方法および使用方法について説明する。
【００２８】
まず、このデシカントユニット２を製造する場合、第一の波板６の両面に除湿剤４を塗布するとともに、その上下の平板５の内側にも除湿剤４を塗布し、それぞれを上下方向に積層して密着させる。そして、その平板５の上面側と下面側に、第一の波板６の空気流通方向と直交する方向に波部が位置するように第二の波板７を取り付け、平板５との間に隙間がないように凹凸部分の頂点を平板５に密着させる。以下、同様にして第二の波板７、平板５、第一の波板６、平板５、第二の波板７と交互に積層させていき、最後に、上層の第二の波板７と下層の第二の波板７の穴７２をバイパス管７３で段違いに連結していく。そして、第二の波板７における平板５から延出させた延出部７１の側面などを側壁３で覆い、側面側から空気８を通した場合に第一の波板６の空気流通経路１１にのみ空気８を流入させるようにする。
【００２９】
このように製造されたデシカントユニット２を用いて空気８を除湿する場合は、まず、第一のデシカントユニット２の側面方向から空気８を流入させ、平板５と平板５の間における第一の波板６に空気８を流入させる。また、これと同時に、第二の波板７の端部から冷たい空気８を流入させる。このように冷たい空気８を流入させると、図１における破線で示された一枚目の第二の波板７ａのバイパス管７３から第二層目の熱付与層１２、および、第四層目の熱付与層１２などに冷たい流体が流れ込む。このように偶数層目の熱付与層１２に冷たい流体が入ると、波板側に向かって冷たい流体が流れ込み、上下の平板５に挟まれた第一の波板６を避けるように上下の第二の波板７に流れていく。すると、図３や図４に示すように、第二の波板７の上面側と下面側に冷たい流体が流れ込み、その熱伝導性の高い第二の波板７や平板５を介して空気流通経路１１の除湿剤４や空気８を冷却させる。このように空気８を冷却させると、その空気８の飽和水蒸気量が減少し、結露した水分が除湿剤４に吸収させる。また、その水分を吸収した除湿剤４が発熱した場合であっても、冷たい流体によって冷却させ、除湿効果を高めるようにする。
【００３０】
一方、一定時間、第一のデシカントユニット２で除湿を行った後、今度は、切替弁９ａ〜９ｃを切り替えて第二のデシカントユニット２で同様に除湿対象となる空気８を除湿するとともに、第一のデシカントユニット２で除湿剤４の乾燥を行う。この除湿剤４を乾燥させる場合、空気流通経路１１に空気８を通すとともに、第二の波板７側から熱い流体を流入させる。この熱い流体を流入させる場合、図１における破線で示された一枚目の第二の波板７ａのバイパス管７３から第一層目の熱付与層１２、および、第三層目の熱付与層１２などに熱い流体（Ｈ）を流入させる。すると、波板側に向かって熱い流体が流れ込み、上下の平板５に挟まれた第一の波板６を避けるように上下の第二の波板７に流れ込んでいく。すると、図３に示すように、第二の波板７の上面側と下面側に熱い流体が流れ込み、その熱伝導性の高い第二の波板７や平板５を介して空気流通経路１１の除湿剤４を加熱させる。このように除湿剤４を加熱させると、空気流通経路１１を流れる空気８によって除湿剤４に含まれる湿気が排出され、切替弁９ｃを介して湿った空気８を外部に排出させる。
【００３１】
このように上記実施の形態によれば、内側に空気流通経路１１を形成する上下の平板５と、この平板５に挟まれた第一の波板６と、上下の平板５の上側と下側に第一の波板６と直交する方向に流体を通すための第二の波板７をそれぞれ積層してなるデシカントユニット２であって、空気流通経路１１内に塗布された除湿剤４と、第二の波板７の一方の面側に第一の流体を通す穴７２やバイパス管７３と、前記第二の波板７の他方の面側に第二の流体を通す穴７２やバイパス管７３とを備え、空気流通経路１１に除湿対象となる空気８を通す場合、前記穴７２やバイパス管７３のいずれか一方から相対的に冷却された流体を通し、前記空気流通経路内の除湿剤４を乾燥させる場合、前記冷却された流通させた穴７２やバイパス管７３とは逆の穴７２やバイパス管７３から相対的に加熱された流体を通すようにしたので、空気８と除湿剤４との接触時間を長くして効率的に除湿を行うことができるようになる。しかも、除湿を行う場合、平板５の上下に冷たい流体を通して空気８や除湿剤４を冷却させるため、より除湿効果を高めることができる。一方、その除湿剤４を乾燥させる場合は、その平板５の上下に熱い流体を通すことによって平板５の内側に塗布された除湿剤４を乾燥させることができ、再度、その除湿剤４を用いて空気８を乾燥させることができるようになる。
【００３２】
なお、本発明は上記実施の形態に限定されることなく、種々の態様で実施することができる。
【００３３】
例えば、上記実施の形態では、平板５と平板５との間に第一の波板６を設けるようにしたが、第一の波板６を設けることなく、平板５と平板５との隙間に除湿対象となる空気８を通すようにしてもよい。
【００３４】
また、上記実施の形態では、第二の波板７に冷たい流体と熱い流体を通すようにしたが、この流体としては、気体であってもよく、液体であってもよい。
【００３５】
さらには、上記実施の形態で空気８を除湿させる場合、冷たい流体を流通させるようにしたが、冷たい流体を通すことなく除湿を行うようにしてもよい。
【符号の説明】
【００３６】
１・・・デシカント空調機
２（２ａ、２ｂ）・・・デシカントユニット
３・・・側壁
４・・・除湿剤
５・・・平板
６・・・第一の波板
７・・・第二の波板
７１・・・延出部
７２（７２ａ、７２ｂ）・・・穴
７３‘７３ａ、７３ｂ）・・・バイパス管
８・・・除湿対象となる空気
９ａ、９ｂ、９ｃ・・・弁
１１・・・空気流通経路
１２・・・熱付与層
２１・・・デシカントローター
２２・・・除湿部
２３・・・再生部
【図１】
2012035230.tif 000003
【図２】
2012035230.tif 000004
【図３】
2012035230.tif 000005
【図４】
2012035230.tif 000006
【図５】
2012035230.tif 000007
【図６】
2012035230.tif 000008